(57)【要約】【課題】案内溝の開口部を設ける必要がなく、また、個々の部材に寸法のばらつきがあったとしても、部材同士を適切に嵌め合わせることが可能な嵌合構造を提供する。【解決手段】嵌合構造は、嵌合穴１２２が形成された外側部材と、嵌合穴１２２に嵌め込まれる内側部材２とを備える。外側部材には、内側部材２との接触箇所の近傍にスリット１２３が形成されている。そして、内側部材２が嵌め込まれた状態で、外側部材における内側部材２との接触箇所が内側部材によってスリット１２３側に押し込まれる【選択図】図７
2009264470.tif 000002
【特許請求の範囲】
【請求項１】
嵌合穴が形成された外側部材と、
前記嵌合穴に嵌め込まれる内側部材とを備え、
外側部材には、内側部材との接触箇所の近傍にスリットが形成され、
内側部材が嵌め込まれた状態で、外側部材における内側部材との接触箇所が内側部材によってスリット側に押し込まれる
ことを特徴とする嵌合構造。
【請求項２】
内側部材は、外周部に突起を備え、外側部材に嵌め込まれた状態で前記突起により外側部材と接触し、
外側部材のスリットは、内側部材の突起との接触箇所の近傍に形成され、
外側部材における内側部材との接触箇所は、内側部材の突起によってスリット側に押し込まれる
請求項１に記載の嵌合構造。
【請求項３】
内側部材は、外周部に、互いに反対方向を向く一対の突起を備え、外側部材に嵌め込まれた状態で前記一対の突起により外側部材と接触し、
外側部材のスリットは、内側部材の個々の突起との接触箇所の近傍にそれぞれ形成され、
外側部材における内側部材との接触箇所は、それぞれ内側部材の突起によってスリット側に押し込まれる
請求項１または請求項２に記載の嵌合構造。
【請求項４】
内側部材の硬度が外側部材の硬度よりも高い
請求項２または請求項３に記載の嵌合構造。
【請求項５】
外側部材は、嵌合穴の外周となる側壁に内側部材と接触する突起を有し、
外側部材のスリットは、前記突起の近傍に形成され、
前記突起は、内側部材によってスリット側に押し込まれる
請求項１に記載の嵌合構造。
【請求項６】
外側部材は、嵌合穴の外周となる側壁に、内側部材と接触する突起であって対向する一対の突起を備え、
外側部材のスリットは、個々の突起の近傍にそれぞれ形成され、
外側部材の個々の突起は、内側部材によってスリット側に押し込まれる
請求項１または請求項５に記載の嵌合方法。
【請求項７】
外側部材の硬度が内側部材の硬度よりも高い
請求項５または請求項６に記載の嵌合構造。
【請求項８】
外側部材は、携帯電話機のケース体であり、
内側部材は、携帯電話機に取り付けられるプレートである
請求項１から請求項７のうちのいずれか１項に記載の嵌合構造。
【発明の詳細な説明】
【技術分野】
【０００１】
本発明は、部材同士の嵌合構造に関する。
【背景技術】
【０００２】
製品の部材を他の部材に取り付ける方法として種々の方法がある。例えば、両面テープによる接着や、爪嵌合等が挙げられる。
【０００３】
両面テープによる接着や爪嵌合の他に、軽圧入によってある部材を別の部材に取り付けることもある。軽圧入による取り付けでは、部材同士のある一部分を干渉させるようにして一方の部材を他方の部材に嵌め込み、その状態における摩擦力で部材を固定する。以下、携帯電話機の部材に別のある部材を取り付ける場合を例にして説明する。
【０００４】
図９は、本発明に関連する嵌合構造の例を示す説明図である。図９は、携帯電話機３にプレート４を取り付けた状態を示している。具体的には、携帯電話機３が備える下側ケース体３１と上側ケース体３２のうち、上側ケース体３２にプレート４を取り付けた状態を示している。
【０００５】
図１０は、図９に例示する嵌合構造においてプレートが取り付けられる嵌合穴を示す説明図である。上側ケース体３２には、プレートが取り付けられる嵌合穴３２１が設けられている。図１１は、プレートの例を示す。プレート４は、嵌合穴３２１の側壁に接触する突起４１を備えている。嵌合穴３２１（図１０参照）の基本外形は、プレート４における突起４１を除いた外形よりも一回り大きく形成される。そして、プレート４が突起４１を備えていることで、プレート４が上側ケース体３２と干渉する。すなわち、プレート４の突起４１が嵌合穴３２１の側壁と接触する。その結果、プレート４の突起４１と嵌合穴３２１の側壁との接触部分の摩擦力によってプレート４は上側ケース体３２に固定される。
【０００６】
また、特許文献１には、固定部材を案内する案内溝を形成し、案内溝に対し固定部材を摺動させながら固定部材を案内溝に収めて、固定部材を固定する構造が記載されている。特許文献１に記載された構造において、案内溝の一端は開口し、他端は閉じられている。案内溝の互いに対向する内側面には、一対の係合突起が形成されている。さらに、係合突起を中心にして、案内溝の互いに対向する側とは反対側に長溝が形成されている。案内溝の開口部から固定部材が入れられ、案内溝に沿って摺動される。固定部材が係合突起の部分を通過すると係合突起は長溝側に撓み、固定部材が通過すると係合突起は弾性復帰する。その結果、固定部材は、案内溝の開口部とは反対側において、弾性復帰した係合突起により移動が規制される。
【０００７】
【特許文献１】特開２０００−１９９５０８号公報（段落００１１−００１３、図１）
【発明の開示】
【発明が解決しようとする課題】
【０００８】
両面テープによる接着では、両面テープを用いる必要があるので、その分、コストが高くなってしまう。また、爪嵌合では、爪部を設けるためのスペースが必要となる。
【０００９】
また、図９に例示するような軽圧入による部材の取り付けでは、互いに干渉する部材同士の干渉量を適切な値に設定することが困難であった。すなわち、適切な干渉量の幅は狭いにも関わらず、個々の部品の寸法のばらつきが大きいため、部材同士を嵌合させたときの干渉量が設計した値とならないことが多かった。また、部材同士の硬度が異なる場合には、硬度が高い方の部材が他方の部材を削ってしまい、設計した干渉量が得られないことがあった。
【００１０】
部材同士を嵌合させたときの干渉量が適切な値とならないことにより、部材の脱落や破損が生じることがあった。具体的には、干渉量が適正値より小さく、部材同士の嵌合が緩いことにより、プレート４が脱落したり、経時変化によるプレート４の浮きが生じたりすることがあった。また、干渉量が大きく、硬く嵌め合わされたことにより、上側ケース体３２の破損が生じることもあった。
【００１１】
また、特許文献１に記載された構成は、案内溝の開口部から固定部材を嵌め入れ、係合突起部分を通過させ、弾性復帰した係合突起により固定部材を固定する構成になっている。従って、開口部を有する案内溝を設ける必要があり、案内溝の開口部のためのスペースを設ける必要があった。
【００１２】
そこで、本発明は、案内溝の開口部を設ける必要がなく、また、個々の部材に寸法のばらつきがあったとしても、部材同士を適切に嵌め合わせることが可能な嵌合構造を提供することを目的とする。
【課題を解決するための手段】
【００１３】
本発明の嵌合構造は、嵌合穴が形成された外側部材と、嵌合穴に嵌め込まれる内側部材とを備え、外側部材には、内側部材との接触箇所の近傍にスリットが形成され、内側部材が嵌め込まれた状態で、外側部材における内側部材との接触箇所が内側部材によってスリット側に押し込まれることを特徴とする。
【発明の効果】
【００１４】
本発明によれば、個々の部材に寸法のばらつきがあったとしても、部材同士を適切に嵌め合わせることができる。また、案内溝の開口部を設けなくて済むので、開口部のためのスペースも用意しなくて済む。
【発明を実施するための最良の形態】
【００１５】
以下、本発明の実施形態を図面を参照して説明する。
図１は、本発明の嵌合構造が適用された携帯電話機の例を示す斜視図である。ここでは、折り畳み式携帯電話機１（以下、単に携帯電話機１と記す。）のケース体に、プレート２を嵌め込んだ嵌合構造を例にして説明する。携帯電話機１は、ヒンジを中心に開閉する上側ケース体５と下側ケース体８とを備える。図１では、上側ケース体５にプレート２が嵌め込まれている状態を示している。また、プレート２が嵌め込まれる嵌合穴の両脇には、スリット１２３が形成されている。
【００１６】
図２は、上側ケース体の分解斜視図である。上側ケース体５は、第一のケース体１１と第二のケース体１２とを備える。第一のケース体１１は嵌合爪１１１を有し、第二のケース体１２は嵌合爪１２１を有し、第一のケース体１１および第二のケース体１２は、嵌合爪１１１，１２１によって接合する。嵌合爪１１１および嵌合爪１２１の設置数量は、携帯電話機１（図１参照）の大きさ、質量、組立性、解体性を考慮して設計者が決定すればよい。第一のケース体１１および第二のケース体１２の間の空間に、電気部品や表示部１４が配置された基板１３が内蔵される。
【００１７】
図１は、第二のケース体１２にプレート２（図１参照）を嵌め込んだ嵌合構造を示す。なお、図２では、プレート２が嵌め込まれる嵌合穴の図示を省略している。第二のケース体１２に形成された嵌合穴（図２において図示略）にプレート２が嵌め込まれるので、第二のケース体１２はプレート２を囲む外側部材に該当し、プレート２は第二のケース体１２によって周囲を囲まれる内側部材に該当する。
【００１８】
図３は、プレート（内部部材）２の例を示す説明図であり、図４は、図３に例示するプレートの斜視図である。プレート２は、プレート２の外周部に突起２１を備える。図３および図４では、プレート２が、外周部に、互いに反対方向を向く一対の突起２１を備える場合を示している。
【００１９】
図５は、第二のケース体（外側部材）１２の例を示す説明図である。第二のケース体１２には、プレート２を嵌め込むための嵌合穴１２２が形成されている。嵌合穴１２２は、プレート２とほぼ同様の形状であり、また、嵌合穴１２２の基本外形は、プレート２の基本となる外形部分（プレート２の突起２１を除いた部分）よりも一回り大きくなるように形成される。そのため、プレート２の基本となる外形部分は、第二のケース体１２とは干渉せず、プレート２が備えている一対の突起２１がそれぞれ第二のケース体１２と干渉する。
【００２０】
嵌合穴１２２の外周となる側壁は、嵌合穴１２２となる中空部分を囲んでいる。
【００２１】
また、第二のケース体１２において、プレート２との接触箇所の近傍にはスリット１２３が形成される。本実施形態では、プレート２の突起２１と接触する箇所の近傍にスリット１２３が設けられている。図３に示すように、プレート２は、互いに反対方向を向く一対の突起２１を備えているので、プレート２を囲む第二のケース体１２では、嵌合穴１２２の外周となる側壁のうち二箇所で突起２１と接触する。その二箇所の接触箇所の近傍にそれぞれスリット１２３が形成される。図５に示す例では、嵌合穴１２２の左右両脇にそれぞれ一箇所ずつスリット１２３が形成されている。
【００２２】
スリット１２３により、嵌合穴１２２の外周となる側壁のうち、プレート２の突起２１との接触部分に弾性をもたせることができる。プレート２を第二のケース体１２の嵌合穴１２２に嵌め込むと、第二のケース体１２におけるプレート２との接触部分が、プレート２によってスリット１２３側に押し込まれる。具体的には、嵌合穴１２２の外周となる側壁のうち、プレート２のそれぞれの突起２１と接触する部分は、それぞれプレート２の突起２１によってスリット１２３側に押し込まれる。スリット１２３側に押し込まれた部分は、弾性により、プレート２の突起２１を押し返そうとし、その力によってプレート２は嵌合穴１２２に嵌め込まれた状態で固定される。
【００２３】
スリット１２３の幅、大きさは、第二のケース体１２の材料硬度、プレート２の材料硬度、プレート２と第二のケース体１２との干渉量により、設計者が決定すればよく、特定の幅や大きさに限定されない。
【００２４】
また、プレート２が備える各突起２１の突出量は、第二のケース体１２の材料硬度、プレート２の材料硬度、第二のケース体１２に形成された嵌合穴１２２とプレート２に形成される突起２１の外形寸法のばらつき具合により、設計者が決定すればよく、突起２１の突出量は特定の値に限定されない。
【００２５】
本実施形態では、第二のケース体１２の硬度とプレート２の硬度とが等しいか、あるいは、突起１２を備えるプレート２の硬度が第二のケース体１２の硬度よりも高いことが好ましい。
【００２６】
なお、嵌合穴１２２は、例えば、携帯電話機のユーザが表示部１４（図２参照）を見るための窓であり、プレート２は表示部１４を保護するための透明な保護部材である。
【００２７】
次に、第二のケース体１２とプレート２とを嵌合させる手順を説明する。図６は、第二のケース体１２とプレート２とを嵌合させる手順を示す説明図である。図２に示すように、基板１３を挟んで第二のケース体１２と第一のケース体１１とが嵌め合わされる。図６では、この状態におけるケース体１２にプレート２を嵌め合わせる場合を示している。また、図６は、嵌合構造の断面図であり、図６に示すプレート２の両端がそれぞれ突起２１に該当する。
【００２８】
まず、プレート２の一対の突起２１の一方を、嵌合穴１２２の外周となる側壁のうち、その突起２１に対応する部分（近傍にスリット１２３が設けられている部分）に押し当てる。そして、嵌合穴１２２の側壁に押し当てた突起２１を中心にして、プレート２を第二のケース体１２側に倒していく。
【００２９】
このとき、突起２１が押し当てられた嵌合穴１２２の側壁は、近傍にスリット１２３が設けられていることによりスリット側に撓むことができる。突起２１を含むプレート２の幅が嵌合穴１２２の幅よりも大きく、第二のケース体１２とプレート２の突起２１とが干渉する場合であっても、上記のように側壁が撓み、その分だけ空間ができ、突起２１を含むプレート２全体を嵌合穴１２２に挿入することができる。
【００３０】
プレート２が完全に嵌合穴１２２に嵌め込まれたら、プレート２の突起２１を嵌合穴１２２の側壁に押し当てていた力を解放する。すると、撓んでいた側壁が元の形状に復元しようとする。ここで、プレート２が備えている一対の突起２１がそれぞれ第二のケース体１２と干渉するので（すなわち、突起２１を含むプレート２の幅は嵌合穴１２２の幅より広いので）、プレート２の各突起２１はいずれも、嵌合穴１２２の外周となる側壁と接触し、接触した箇所をスリット１２３側に押し込む。
【００３１】
図７は、嵌合穴１２２にプレート２が嵌め込まれた状態を示す説明図であり、図７（ａ）は正面図であり、図７（ｂ）は断面図である。図７（ｂ）において、プレート２の両端がそれぞれ突起２１に該当する。第二のケース体１２の側壁のうち、プレート２の突起２１と接触する箇所は、プレート２の突起２１により、それぞれスリット１２３側に押し込まれる。すると、第二のケース体１２の押し込まれた箇所は、弾性によってプレート２の突起２１を押し返そうとし、その力でプレート２を固定する。よって、プレート２の突起２１がストッパとなり、第二のケース体１２からの脱落が防止される。
【００３２】
本実施形態によれば、第二のケース体１２において、プレート２との接触箇所の近傍にスリット１２３が形成されている。よって、その接触箇所がスリット１２３側に撓むことができる。その撓んだ箇所が、プレート２を押し返そうとする力によって、プレート２を固定させる。従って、脱落や浮きを防止して、プレート２と第二のケース体１２とを嵌め合わせることができる。
【００３３】
さらに、プレート２との接触箇所がスリット方向に撓むことができることにより、第二のケース体１２およびプレート２に寸法のばらつきがあったとしても、そのような寸法のばらつきを吸収することができる。そのため、第二のケース体１２とプレート２とを適切に嵌め合わせることができる。例えば、突起２を含むプレート２の幅が設計値より大きくなったり嵌合穴１２２の幅が設計値より小さくなったりして、干渉量が大きくなったとしても、接触部分がその分だけ撓むので、一方の部材が他方の部材を削ってしまったり、破損してしまったりすることを防止することができる。
【００３４】
また、特許文献１に記載された構造のように係合突起が設けられた案内溝に沿って固定部材を摺動させて、一時的に係合突起を撓ませ、固定部材通過後に弾性復帰した係合突起で固定部材の動きを規制するのではなく、本実施形態では、第二のケース体１２の嵌合穴１２２にプレート２が嵌め込まれ、その状態において、第二のケース体１２におけるプレート２との接触箇所がプレート２によって押し込まれ、押し返そうとする力でプレート２を固定する。従って、特許文献１に記載されているような案内溝の開口部を設ける必要がなく、そのような開口部のためのスペースを用意しなくて済む。
【００３５】
次に、本発明の他の実施形態を説明する。以下に示す実施形態では、内部部材ではなく外部部材が突起を備える。なお、上記の場合と同様に、携帯電話機のケース体にプレートを嵌め込んだ嵌合構造を例にして説明する。図８は、本発明の他の実施形態を示す説明図である。既に説明した構成要素と同様の構成要素については、図３および図５と同一の符号を付し、詳細な説明を省略する。
【００３６】
本実施形態では、プレート（内部部材）２の外周部には突起が設けられない。一方、第二のケース体（外部部材）１２側に突起１２４が設けられる。具体的には、第二のケース体１２にはプレート２が嵌め込まれる嵌合穴１２２が設けられており、第二のケース体１２は、その嵌合穴１２２の外周となる側壁に、対向する一対の突起１２４を備える。
【００３７】
嵌合穴１２２は、プレート２とほぼ同様の形状であり、嵌合穴１２２の基本となる外形（突起１２４を除いた部分の外形）は、プレート２の外形よりも一回り大きく形成される。この結果、プレート２は、突起１２４を除いた嵌合穴１２２の基本となる外形部分とは干渉しない。そして、嵌合穴１２２の外周となる側壁に一対の突起１２４が設けられていることにより、第二のケース体１２の各突起１２４が、嵌合穴１２２に嵌め込まれたプレート２と接触する。
【００３８】
また、嵌合穴１２２の外周となる側壁は、嵌合穴１２２となる中空部分を囲んでいる。
【００３９】
また、第二のケース体１２には、第二のケース体１２が備える個々の突起１２４の近傍にスリット１２３が形成される。第二のケース体１２は、嵌合穴１２２の側壁に、対向する一対の突起１２４を備えているので、プレート２は、その二つの突起１２４とそれぞれ接触する。その二箇所の接触箇所の近傍にそれぞれスリット１２３が形成される。
【００４０】
スリット１２３によって、嵌合穴１２２の側壁のうち突起１２４付近に弾性をもたせることができる。プレート２を嵌合穴１２２に嵌め込むと、第二のケース体１２のそれぞれの突起１２４がプレート２によって近傍のスリット１２３側に押し込まれる。すると、第二のケース体１２の各突起１２４は、弾性によりプレート２を押し返そうとし、その力によってプレート２は嵌合穴１２２に嵌め込まれた状態で固定される。
【００４１】
本実施形態では、第二のケース体１２の硬度とプレート２の硬度とが等しいか、あるいは、突起１２４を備える第二のケース体１２の硬度がプレート２の硬度よりも高いことが好ましい。
【００４２】
次に、第二のケース体１２とプレート２とを嵌合させる手順を説明する。プレート２の一端が第二のケース体１２の突起１２４の一方に押し当てられる。そして、そのプレート２の一端を中心にして、プレート２を第二のケース体１２側に倒していく。
【００４３】
プレート２が押し当てられた突起１２４は近傍のスリット１２３側に撓む。よって、対向する一対の突起１２４同士の間隔よりもプレート２の幅の方が大きく、第二のケース体１２とプレート２とが干渉する場合であっても、突起部分が撓む分だけ空間が空き、プレート２を嵌合穴１２２に挿入することができる。
【００４４】
プレート２が完全に嵌合穴１２２に嵌め込まれたら、プレート２を第二のケース体１２の突起１２４に押し当てていた力を解放する。するとスリット１２３方向に撓んでいた部分が元の形状に復元しようとする。ここで、プレート２が第二のケース体１２のそれぞれの突起１２４と干渉するので（すなわち、対向する突起１２４同士の間隔よりもプレート２の幅の方が広いので）、第二のケース体１２の各突起１２４はプレート２によって近傍のスリット１２３側に押し込まれる。すると、第二のケース体１２の各突起１２４は、弾性によってプレート２を押し返そうとし、その力でプレート２を固定する。
【００４５】
本実施形態においても、第二のケース体１２における、プレート２との接触箇所（突起１２４）の近傍にスリット１２３が形成されているので、その部分がスリット１２３側に撓み、その部分がプレート２を押し返そうとする力によって、プレート２を固定させる。よって、脱落や浮きを防止して、プレート２と第二のケース体１２とを嵌め合わせることができる。また、上記のようにプレート２との接触箇所が撓むので、第二のケース体１２およびプレート２に寸法のばらつきがあったとしても、そのような寸法のばらつきを吸収し、第二のケース体１２とプレート２とを適切に嵌め合わせることができる。例えば、プレート２の幅が設計値より大きくなったり、突起１２４間の間隔が設計値より小さくなったりして、干渉量が大きくなったとしても、その分だけプレート２との接触箇所が撓み、一方の部材が他方の部材を削ってしまったり、破損してしまったりすることを防止することができる。
【００４６】
また、特許文献１に記載されているような案内溝の開口部を設ける必要がなく、そのような開口部のためのスペースを用意しなくて済む。
【００４７】
上記の各実施形態では、内側部材（プレート２）が突起を備える場合と、外側部材（第二のケース体１２）が突起を備える場合とをそれぞれ説明した。突起は、内側部材および外側部材のいずれに設けられてもよいが、嵌め合わせる部材に硬度の差がある場合には、硬度の高い方の部材に突起を設けることが好ましい。硬度の低い方の部材の突起が、硬度の高い方の部材によって削られることがなくなるからである。よって、内側部材の硬度が外側部材の硬度よりも高い場合には、内側部材に突起を設けることが好ましい。また、外側部材の硬度が内側部材の硬度よりも高い場合には、外側部材に突起を設けることが好ましい。
【００４８】
また、上記の各実施形態では、本発明が携帯電話機のケース体とプレートとの嵌合に適用される場合を例に説明したが、本発明の嵌合構造は、携帯電話機のケース体とプレート以外の嵌合に適用されてもよい。嵌合穴が形成された外側部材と、その嵌合穴に嵌め込まれる内側部材との嵌合であれば、本発明の嵌合構造を適用可能である。
【００４９】
上記の各実施形態には、嵌合穴（例えば、嵌合穴１２２）が形成された外側部材（例えば、第二のケース体１２）と、嵌合穴に嵌め込まれる内側部材（例えば、プレート２）とを備え、外側部材には、内側部材との接触箇所の近傍にスリット（例えば、スリット１２３）が形成され、内側部材が嵌め込まれた状態で、外側部材における内側部材との接触箇所が内側部材によってスリット側に押し込まれる構成の嵌合構造がされている。
【００５０】
第１の実施形態には、内側部材が、外周部に突起を備え、外側部材に嵌め込まれた状態で突起により外側部材と接触し、外側部材のスリットが、内側部材の突起との接触箇所の近傍に形成され、外側部材における内側部材との接触箇所は、内側部材の突起によってスリット側に押し込まれる構成が開示されている。
【００５１】
また、第１の実施形態には、内側部材が、外周部に、互いに反対方向を向く一対の突起を備え、外側部材に嵌め込まれた状態で一対の突起により外側部材と接触し、外側部材のスリットは、内側部材の個々の突起との接触箇所の近傍にそれぞれ形成され、外側部材における内側部材との接触箇所は、それぞれ内側部材の突起によってスリット側に押し込まれる構成が開示されている。
【００５２】
また、第１の実施形態には、そのような内側部材の硬度が外側部材の硬度よりも高い構成が開示されている。
【００５３】
第２の実施形態には、外側部材が、嵌合穴の外周となる側壁に内側部材と接触する突起を有し、外側部材のスリットが、突起の近傍に形成され、突起が、内側部材によってスリット側に押し込まれる構成が開示されている。
【００５４】
また、第２の実施形態には、外側部材が、嵌合穴の外周となる側壁に、内側部材と接触する突起であって対向する一対の突起を備え、外側部材のスリットが、個々の突起の近傍にそれぞれ形成され、外側部材の個々の突起が、内側部材によってスリット側に押し込まれる構成が開示されている。
【００５５】
また、第２の実施形態には、そのような外側部材の硬度が内側部材の硬度よりも高い構成が開示されている。
【００５６】
また、各実施形態には、外側部材が、携帯電話機のケース体であり、内側部材が、携帯電話機に取り付けられるプレートである構成が開示されている。
【産業上の利用可能性】
【００５７】
本発明は、嵌合穴が形成された外側部材と、その嵌合穴に嵌め込まれる内側部材とを備える嵌合構造に好適に適用される。
【図面の簡単な説明】
【００５８】
【図１】本発明の嵌合構造が適用された携帯電話機の例を示す斜視図である。
【図２】上側ケース体の分解斜視図である。
【図３】プレート（内部部材）の例を示す説明図である。
【図４】図３に例示するプレートの斜視図である。
【図５】第二のケース体（外側部材）の例を示す説明図である。
【図６】第二のケース体１２とプレート２とを嵌合させる手順を示す説明図である。
【図７】嵌合穴にプレートが嵌め込まれた状態を示す説明図である。
【図８】本発明の他の実施形態を示す説明図である。
【図９】本発明に関連する嵌合構造の例を示す説明図である。
【図１０】図９に例示する嵌合構造においてプレートが取り付けられる嵌合穴を示す説明図である。
【図１１】プレートの例を示す説明図である。
【符号の説明】
【００５９】
２  プレート
１１  第一のケース体
１２  第二のケース体
２１  突起
１２２  嵌合穴
１２３  スリット
１２４  突起
【図１】
2009264470.tif 000003
【図２】
2009264470.tif 000004
【図３】
2009264470.tif 000005
【図４】
2009264470.tif 000006
【図５】
2009264470.tif 000007
【図６】
2009264470.tif 000008
【図７】
2009264470.tif 000009
【図８】
2009264470.tif 000010
【図９】
2009264470.tif 000011
【図１０】
2009264470.tif 000012
【図１１】
2009264470.tif 000013